(57)【要約】【課題】ＢＣＡが存在しない光ディスクに対してＢＣＡリード処理の時間を省く。【解決手段】信号面の内周部にＢＣＡ（Ｂｕｒｓｔ  Ｃｕｔｔｉｎｇ  Ａｒｅａ）が存在する記録再生タイプの光ディスクＤｒｐと、通常はＢＣＡが存在しないが必要に応じてＢＣＡが設けられる再生専用タイプの光ディスクＤｐとを光ピックアップ２０により選択的に再生した際、光ピックアップ２０により信号面に対して最初に読み出されるリードイン領域中のＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみＢＣＡから光ディスク固有の情報を読み出すように制御する制御手段１１を備えたことを特徴とする光ディスク装置１０を提供する。【選択図】図３
2009176337.tif 000002
【特許請求の範囲】
【請求項１】
信号面の内周部にＢＣＡ（Ｂｕｒｓｔ  Ｃｕｔｔｉｎｇ  Ａｒｅａ）が存在する記録再生タイプの光ディスクと、通常は前記ＢＣＡが存在しないが必要に応じて前記ＢＣＡが設けられる再生専用タイプの光ディスクとに対して光ピックアップ内の対物レンズから出射したレーザービームを前記信号面上にスポット状に照射して、前記信号面からの戻り光を多分割型フォトディテクタにより検出する光ディスク装置において、
前記光ピックアップにより前記信号面に対して最初に読み出されるリードイン領域中のＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみ前記ＢＣＡから光ディスク固有の情報を読み出すように制御する制御手段を備えたことを特徴とする光ディスク装置。
【請求項２】
信号面の内周部にＢＣＡ（Ｂｕｒｓｔ  Ｃｕｔｔｉｎｇ  Ａｒｅａ）が存在する記録再生タイプの光ディスクと、通常は前記ＢＣＡが存在しないが必要に応じて前記ＢＣＡが設けられる再生専用タイプの光ディスクとに対して光ピックアップ内の対物レンズから出射したレーザービームを前記信号面上にスポット状に照射して、前記信号面からの戻り光を多分割型フォトディテクタにより検出する光ディスク装置において、
前記多分割型フォトディテクタの各検出信号を第１の演算処理により演算してトラッキングエラー信号を検出するトラッキングエラー信号検出手段と、
前記多分割型フォトディテクタの各検出信号を第２の演算処理により演算してフォーカスエラー信号を検出するフォーカスエラー信号検出手段と、
前記多分割型フォトディテクタの各検出信号を第３の演算処理により演算してウォブル信号を検出するウォブル信号検出手段と、
前記多分割型フォトディテクタの各検出信号を第４の演算処理により演算してＲＦ信号を検出するＲＦ信号検出手段と、
前記記録再生タイプの光ディスクと、前記再生専用タイプの光ディスクとを判別する光ディスク種類判別手段と、
前記光ピックアップにより前記信号面に対してリードイン領域を最初に読み出したときに、前記光ディスク種類判別手段で前記記録再生タイプの光ディスクであると判別された場合に直ちに前記ＢＣＡを読み出す一方、前記再生専用タイプの光ディスクであると判別された場合にトラッキングサーボをかけて前記ＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみ前記ＢＣＡから光ディスク固有の情報を読み出すように制御する制御手段と、
を備えたことを特徴とする光ディスク装置。
【請求項３】
前記光ディスク種類判別手段は、前記光ピックアップにより前記信号面に対して最初に読み出されるリードイン領域中のＰＩＣ領域に対してフォーカスサーボをかけて前記ＲＦ信号の有無を検出し、ＲＦ信号ありと検出されたときに前記記録再生タイプの光ディスクであると判別する一方、ＲＦ信号なしと検出されたときに前記再生専用タイプの光ディスクであると判別することを特徴とする請求項２記載の光ディスク装置。
【請求項４】
前記制御手段は、前記光ディスク種類判別手段で前記記録再生タイプの光ディスクであると判別された場合に前記ＰＩＣ領域に予め記録された第１のＰＩＣに対して前記ウォブル信号検出手段により検出するように制御する一方、前記再生専用タイプの光ディスクであると判別された場合に前記ＰＩＣ領域に予め記録された第２のＰＩＣに対して前記ＲＦ信号検出手段により検出するように制御することを特徴とする請求項２又は請求項３記載の光ディスク装置。
【発明の詳細な説明】
【技術分野】
【０００１】
本発明は、信号面の内周部にＢＣＡ（Ｂｕｒｓｔ  Ｃｕｔｔｉｎｇ  Ａｒｅａ）が存在する記録再生タイプの光ディスクと、通常はＢＣＡが存在しないが必要に応じてＢＣＡが設けられる再生専用タイプの光ディスクとを光ピックアップにより選択的に再生した時に、光ピックアップにより信号面に対して最初に読み出されるリードイン領域中のＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみＢＣＡから光ディスク固有の情報（ＢＣＡの情報）を確実に読み出すことができる光ディスク装置に関するものである。
【背景技術】
【０００２】
一般的に、ＣＤ（Ｃｏｍｐａｃｔ  Ｄｉｓｃ）や、ＣＤよりも高密度化を図ったＤＶＤ（Ｄｉｇｉｔａｌ  Ｖｅｒｓａｔｉｌｅ  Ｄｉｓｃ）とか、ＤＶＤよりも更に超高密度化を図ったＢＤ（Ｂｌｕ−ｒａｙ  Ｄｉｓｃ）などの円盤状の光ディスクは、音楽データや映像データとかコンピュータデータなどの情報信号を光ディスク基板の信号面上に螺旋状又は同心円状に形成したトラックに記録し、且つ、記録済みのトラックを再生する際に所望のトラックを高速にアクセスできることから多用されている。
【０００３】
上記した光ディスクは、記録再生タイプと、再生専用タイプとに大別できる。
【０００４】
ここで、記録再生タイプの光ディスクは、樹脂材を用いて射出成形により円盤状のディスク基板の信号面上に、所定の周波数でウォブルされた凹凸状のグルーブとランドとでトラックを交互に螺旋状又は同心円状に予め形成し、これらのグルーブとランド上に記録層，反射層を順に膜付けして信号面を形成して、ＲＡＭ（Ｒｅａｄ  Ａｃｃｅｓｓ  Ｍｅｍｏｒｙ）型として構成されている。
【０００５】
そして、記録再生タイプの光ディスクは、光ディスク装置内で光ディスクの径方向に移動自在に設けた光ピックアップから対物レンズを介して出射された記録用のレーザービームで信号面の記録層に情報信号を記録し、この後、記録済みの信号面を記録用のレーザービームよりもレーザーパワーが小さい再生用のレーザービームを信号面上にスポット状に照射して、信号面から反射された戻りの反射光を多分割型フォトディテクタで受光することで、データを再生している。
【０００６】
一方、再生専用タイプの光ディスクは、樹脂材を用いて射出成形により円盤状のディスク基板の信号面上に凹凸状のピット列でトラックを螺旋状又は同心円状に形成して、この凹凸状のピット列上にアルミなどの反射膜を膜付けして信号面を形成して、ＲＯＭ（Ｒｅａｄ  Ｏｎｌｙ  Ｍｅｍｏｒｙ）型として構成されている。
【０００７】
そして、再生専用タイプの光ディスクは、光ディスク装置内で光ディスクの径方向に移動自在に設けた光ピックアップから対物レンズを介して出射された再生用のレーザービームを信号面上にスポット状に照射して、信号面から反射された戻りの反射光を多分割型フォトディテクタで受光することで、データを再生している。
【０００８】
ところで、上記した光ディスクを記録又は再生する光ディスク記録／再生装置において、光ディスクの内周側の所定の位置に配置されたバーストカッィング領域（ＢＣＡ：Ｂｕｒｓｔ  Ｃｕｔｔｉｎｇ  Ａｒｅａ）の位置を高い精度で認識することができるものがある（例えば、特許文献１参照）。
【０００９】
【特許文献１】特開２００７−２５７７６５号公報。
【００１０】
上記した特許文献１（特開２００７−２５７７６５号公報）に開示された光ディスク記録／再生装置では、ここでの図示を省略して、特許文献１を参照して簡略に説明すると、ＤＶＤやＤＶＤ−ＲＡＭ等の各種の光ディスクにおいて、光ディスク基板の内周部の所定の位置に、バーストカッティング領域(ＢＣＡ：Ｂｕｒｓｔ  Ｃｕｔｔｉｎｇ  Ａｒｅａ）と呼ばれるエリアが設けられており、このバーストカッティング領域には、主としてコピープロテクションに関する情報(バーストデータ)が、同期信号、誤り検出(ＥＤＣ)、誤り訂正(ＥＣＣ)のための冗長符合付きで、バースト信号として放射状に記録されているので、光ディスク記録／再生装置では、バーストカッティング領域からバースト信号を読み取って復調する必要がある。
【００１１】
そこで、特許文献１に開示された光ディスク記録／再生装置では、回転する光ディスクの半径方向に光ピックアップを移動させて、この光ディスクから信号を再生し、もしくは、光ディスクに信号を記録することが可能であって、光ピックアップを光ディスクの一定の半径位置に固定して、バーストパルス弁別回路によってバースト信号の有無を検出することにより、その位置がバーストカッティング領域であるか否かを判別する判別処理を、光ピックアップの半径位置をシフトさせながら繰り返し、これによってバーストカッティング領域の位置を検出することで、バーストカッィング領域の位置を高い精度で認識することができる旨が開示されている。
【発明の開示】
【発明が解決しようとする課題】
【００１２】
ところで、上記した特許文献１に開示された光ディスク記録／再生装置によれば、光ディスクの信号面の内周部に配置されたバーストカッィング領域（ＢＣＡ）の位置を高い精度で認識することができるとされている。
【００１３】
しかしながら、信号面中で所定の周波数でウォブルされたトラックに情報信号を記録し、且つ、記録済みのトラックを再生できる記録再生タイプの光ディスクでは、信号面中の内周部にバーストカッィング領域（ＢＣＡ）が必ず存在しているものの、信号面中で凹凸状のピット列でトラックを形成した再生専用タイプの光ディスクでは、一般的に低価格化のために信号面の内周部にバーストカッィング領域（ＢＣＡ）が存在しないものが殆どである。
【００１４】
従って、上記した特許文献１に開示された光ディスク記録／再生装置を用いて記録再生タイプの光ディスクと再生専用タイプの光ディスクとを併用する場合に、再生専用タイプの光ディスクに対してバーストカッィング領域（ＢＣＡ）が存在しないことを認識するまでに、ＢＣＡへのリトライ処理やタイムアウト処理などの処理時間が大幅にかかってしまい、使用勝手が著しく劣化してしまうなどの問題が生じている。
【００１５】
そこで、信号面の内周部にＢＣＡ（Ｂｕｒｓｔ  Ｃｕｔｔｉｎｇ  Ａｒｅａ）が存在する記録再生タイプの光ディスクと、通常はＢＣＡが存在しないが必要に応じてＢＣＡが設けられる再生専用タイプの光ディスクとを光ピックアップにより選択的に再生した時に、信号面の内周部にＢＣＡが存在しない再生専用タイプの光ディスクに対してＢＣＡの有無を簡単に認識でき、ＢＣＡへのリトライ処理やタイムアウト処理などを省略でき、ＢＣＡが存在しない再生専用タイプの光ディスクに対して動作フローを短縮できる光ディスク装置が望まれている。
【課題を解決するための手段】
【００１６】
本発明は上記課題に鑑みてなされたものであり、第１の発明は、信号面の内周部にＢＣＡ（Ｂｕｒｓｔ  Ｃｕｔｔｉｎｇ  Ａｒｅａ）が存在する記録再生タイプの光ディスクと、通常は前記ＢＣＡが存在しないが必要に応じて前記ＢＣＡが設けられる再生専用タイプの光ディスクとに対して光ピックアップ内の対物レンズから出射したレーザービームを前記信号面上にスポット状に照射して、前記信号面からの戻り光を多分割型フォトディテクタにより検出する光ディスク装置において、
前記光ピックアップにより前記信号面に対して最初に読み出されるリードイン領域中のＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみ前記ＢＣＡから光ディスク固有の情報を読み出すように制御する制御手段を備えたことを特徴とする光ディスク装置である。
【００１７】
また、第２の発明は、信号面の内周部にＢＣＡ（Ｂｕｒｓｔ  Ｃｕｔｔｉｎｇ  Ａｒｅａ）が存在する記録再生タイプの光ディスクと、通常は前記ＢＣＡが存在しないが必要に応じて前記ＢＣＡが設けられる再生専用タイプの光ディスクとに対して光ピックアップ内の対物レンズから出射したレーザービームを前記信号面上にスポット状に照射して、前記信号面からの戻り光を多分割型フォトディテクタにより検出する光ディスク装置において、
前記多分割型フォトディテクタの各検出信号を第１の演算処理により演算してトラッキングエラー信号を検出するトラッキングエラー信号検出手段と、
前記多分割型フォトディテクタの各検出信号を第２の演算処理により演算してフォーカスエラー信号を検出するフォーカスエラー信号検出手段と、
前記多分割型フォトディテクタの各検出信号を第３の演算処理により演算してウォブル信号を検出するウォブル信号検出手段と、
前記多分割型フォトディテクタの各検出信号を第４の演算処理により演算してＲＦ信号を検出するＲＦ信号検出手段と、
前記記録再生タイプの光ディスクと、前記再生専用タイプの光ディスクとを判別する光ディスク種類判別手段と、
前記光ピックアップにより前記信号面に対してリードイン領域を最初に読み出したときに、前記光ディスク種類判別手段で前記記録再生タイプの光ディスクであると判別された場合に直ちに前記ＢＣＡを読み出す一方、前記再生専用タイプの光ディスクであると判別された場合にトラッキングサーボをかけて前記ＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみ前記ＢＣＡから光ディスク固有の情報を読み出すように制御する制御手段と、
を備えたことを特徴とする光ディスク装置である。
【００１８】
また、第３の発明は、上記した第２の発明の光ディスク装置において、
前記光ディスク種類判別手段は、前記光ピックアップにより前記信号面に対して最初に読み出されるリードイン領域中のＰＩＣ領域に対してフォーカスサーボをかけて前記ＲＦ信号の有無を検出し、ＲＦ信号ありと検出されたときに前記記録再生タイプの光ディスクであると判別する一方、ＲＦ信号なしと検出されたときに前記再生専用タイプの光ディスクであると判別することを特徴とする光ディスク装置である。
【００１９】
また、第４の発明は、上記した第２又は第３の発明の光ディスク装置において、
前記制御手段は、前記光ディスク種類判別手段で前記記録再生タイプの光ディスクであると判別された場合に前記ＰＩＣ領域に予め記録された第１のＰＩＣに対して前記ウォブル信号検出手段により検出するように制御する一方、前記再生専用タイプの光ディスクであると判別された場合に前記ＰＩＣ領域に予め記録された第２のＰＩＣに対して前記ＲＦ信号検出手段により検出するように制御することを特徴とする光ディスク装置である。
【発明の効果】
【００２０】
本発明に係る光ディスク装置によれば、信号面の内周部にＢＣＡ（Ｂｕｒｓｔ  Ｃｕｔｔｉｎｇ  Ａｒｅａ）が存在する記録再生タイプの光ディスクと、通常はＢＣＡが存在しないが必要に応じてＢＣＡが設けられる再生専用タイプの光ディスクとに対して光ピックアップ内の対物レンズから出射したレーザービームを信号面上にスポット状に照射して、信号面からの戻り光を多分割型フォトディテクタにより検出する際に、とくに、光ピックアップにより信号面に対して最初に読み出されるリードイン領域中のＰＩＣ領域に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみＢＣＡから光ディスク固有の情報を読み出すように制御する制御回路を備えたために、信号面の内周部にＢＣＡが存在する記録再生タイプの光ディスクに対して光ピックアップを直ちにＢＣＡに移動して、このＢＣＡに予め記録された光ディスク固有の情報を確実に読み出すことができる一方、通常はＢＣＡが存在しない再生専用タイプの光ディスクに対して従来のようなＢＣＡリード処理の時間（リトライ等も含む）を省くことができ、且つ、光ピックアップをＢＣＡへ移動する時間も省くことができるので、ＢＣＡがない再生専用タイプの光ディスクに対して動作フローを短縮することが可能となるので、使用勝手の良い光ディスク装置を提供することができる。
【００２１】
この際、ＢＣＡが存在する記録再生タイプの光ディスクと、通常はＢＣＡが存在しない再生専用タイプの光ディスクとを、リードイン領域中のＰＩＣ領域を再生したときのＲＦ信号の有無により光ディスクの種類を判別する光ディスク種類判別回路で予め判別しておくことで、制御回路手段はＢＣＡが存在する記録再生タイプの光ディスクに対してリードイン領域中のＰＩＣ領域に予め記録された第１のＰＩＣをウォブル信号検出手段により検出するように制御する一方、通常はＢＣＡが存在しない再生専用タイプの光ディスクに対してリードイン領域中のＰＩＣ領域に予め記録された第２のＰＩＣをＲＦ信号検出手段により検出するように制御しているので、本発明に係る光ディスク装置内で記録再生タイプの光ディスクと再生専用タイプの光ディスクとを選択的に適用できる。
【発明を実施するための最良の形態】
【００２２】
以下に本発明に係る光ディスク装置の一実施例について図１〜図７を参照して項目順に詳細に説明する。
【実施例】
【００２３】
本発明に係る光ディスク装置を説明する前に、この光ディスク装置内で選択的に適用される記録再生タイプの光ディスクと、再生専用タイプの光ディスクとについて図１及び図２を用いて先に説明する。
【００２４】
＜記録再生タイプの光ディスク及び再生専用タイプの光ディスク＞
図１（ａ），（ｂ）は本発明に係る光ディスク装置に適用される記録再生タイプの光ディスクを模式的に示した平面図，縦断面図、
図２（ａ），（ｂ）は本発明に係る光ディスク装置に適用される再生専用タイプの光ディスクを模式的に示した平面図，縦断面図である。
【００２５】
まず、図１（ａ）に示した如く、本発明に係る光ディスク装置１０（図３）に適用される記録再生タイプの光ディスクＤｒｐ（Ｄ）は、ＤＶＤ（Ｄｉｇｉｔａｌ  Ｖｅｒｓａｔｉｌｅ  Ｄｉｓｃ）とか、ＤＶＤよりも更に超高密度化を図ったＢＤ（Ｂｌｕ−ｒａｙ  Ｄｉｓｃ）に対してＲＡＭ型として構成された場合に、円盤状の光ディスク基板（図示せず）の信号面に所定の周波数でウォブル（蛇行）されたウォブルトラックＷＢＬ−Ｔが螺旋状又は同心円状に形成されており、このウォブルトラックＷＢＬ−Ｔに記録用のレーザー光により記録マークＭを記録した後に、再生用のレーザー光により記録済みの記録マークＭを再生するようになっている。
【００２６】
また、上記した記録再生タイプの光ディスクＤｒｐは、図１（ｂ）に示した如く、中心部に中心孔１ａが穿設され、この中心孔１ａの外周に沿ってクランピング領域１ｂが設けられていると共に、クランピング領域１ｂに続く信号面中に、内周から外周に向って、ＢＣＡ（Ｂｕｒｓｔ  Ｃｕｔｔｉｎｇ  Ａｒｅａ：バーストカッィング領域）１ｃと、ＰＩＣ領域１ｄ１を有するリードイン領域１ｄと、データ領域１ｅと、リードアウト領域１ｆとが上記順に設けられている。
【００２７】
この際、記録再生タイプの光ディスクＤｒｐでは、信号面中で内周部の所定の位置（最内周位置）にＢＣＡ１ｃが必ず配置されており、このＢＣＡ１ｃには光ディスク固有の情報が予め記録されている。
【００２８】
そして、ＢＣＡ１ｃに予め記録された光ディスク固有の情報は、従来例で前述したと同様に、主としてコピープロテクションに関する情報(バーストデータ)が、同期信号、誤り検出(ＥＤＣ)、誤り訂正(ＥＣＣ)のための冗長符合付きで、バースト信号として放射状に記録されていると共に、ＢＣＡ１ｃ内に予め記録された光ディスク固有の情報は後述する光ディスク装置１０（図３）内に設けた光ピックアップ２０（図３）によりフォーカスサーボをかけるだけで読み出しできるものである。
【００２９】
また、記録再生タイプの光ディスクＤｒｐの信号面中に設けたリードイン領域１ｄは、一般的に、記録時又は再生時に光ピックアップ２０（図３）により最初に読み出される領域であり、このリードイン領域１ｄ中にＰＩＣ領域１ｄ１がある。そして、このＰＩＣ領域１ｄ１には、永久保存しなければならない光ディスク固有となる第１のＰＩＣ（Ｐｅｒｍａｎｅｎｔ  Ｉｎｆｏｒｍａｔｉｏｎ  ＆  Ｃｏｎｔｒｏｌ  ｄａｔａ）が所定の周波数でウォブルされたウォブルトラックＷＢＬ−Ｔに対して位相変調によりプリレコードされており、更に、ＰＩＣ内には前記したＢＣＡ１ｃがあるか否かのＢＣＡ有無の情報が書き込まれていると共に、ＰＩＣ領域１ｄ１に予め記録された第１のＰＩＣは光ピックアップ２０（図３）によりトラッキングサーボをかけて後述するウォブル信号検出回路７０（図３）により読み出し可能になっている。
【００３０】
また、記録再生タイプの光ディスクＤｒｐの信号面中に設けたデータ領域１ｅは、一般的に、音楽データや映像データとかコンピュータデータなどの情報信号（メインデータ）を記録用のレーザー光により記録し、記録済みのメインデータを再生用のレーザー光により読み出す領域である。
【００３１】
更に、記録再生タイプの光ディスクＤｒｐの信号面中に設けたリードアウト領域１ｆは、一般的に、光ピックアップ２０（図３）が記録終了又は再生終了を検出する領域である。
【００３２】
次に、図２（ａ）に示した如く、本発明に係る光ディスク装置１０（図３）に適用される再生専用タイプの光ディスクＤｐ（Ｄ）は、ＤＶＤとか、ＢＤに対してＲＯＭ型として構成された場合に、円盤状の光ディスク基板（図示せず）の信号面中にトラックＴがウォブルされることなく螺旋状又は同心円状に形成されており、このトラックＴに凹凸状のピット列Ｐが予め記録されて、再生用のレーザー光により凹凸状のピット列Ｐを再生するようになっている。
【００３３】
また、上記した再生専用タイプの光ディスクＤｐは、図２（ｂ）に示した如く、中心部に中心孔１ａが穿設され、この中心孔１ａの外周に沿ってクランピング領域１ｂが設けられていると共に、通常、信号面の内周部にＢＣＡは設けられてなく、クランピング領域１ｂに続く信号面中に、内周から外周に向って、ＰＩＣ領域１ｄ２を有するリードイン領域１ｄと、データ領域１ｅと、リードアウト領域１ｆとが上記順に設けられている。
【００３４】
尚、再生専用タイプの光ディスクＤｐでも、記録再生用タイプの光ディスクＤｒｐと同様に、クランピング領域１ｂに続いてＢＣＡが必要に応じて設けられているものがあり、この場合にはＢＣＡ内の情報を読み出す必要がある。
【００３５】
従って、再生専用タイプの光ディスクＤｐは、通常は信号面中にＢＣＡが存在しないが必要に応じてＢＣＡが設けられるものである。
【００３６】
この際、再生専用タイプの光ディスクＤｐに設けたリードイン領域１ｄ中のＰＩＣ領域１ｄ２には、永久保存しなければならない光ディスク固有となる第２のＰＩＣ（Ｐｅｒｍａｎｅｎｔ  Ｉｎｆｏｒｍａｔｉｏｎ  ＆  Ｃｏｎｔｒｏｌ  ｄａｔａ）がウォブルされていないトラックＴに対して凹凸状のピット列によりプリレコードされており、更に、第２のＰＩＣ内にはＢＣＡがあるか否かのＢＣＡ有無の情報が書き込まれていると共に、ＰＩＣ領域１ｄ２に予め記録された第２のＰＩＣは光ピックアップ２０（図３）によりトラッキングサーボをかけて後述するＲＦ信号検出回路７０（図３）により読み出し可能になっている。
【００３７】
＜光ディスク装置＞
図３は本発明に係る光ディスク装置の全体構成を示した構成図、
図４は図３に示した光ピックアップ内に設けた多分割型フォトディテクタを拡大して示した図、
図５（ａ），（ｂ）は図３に示したウォブル検出回路内の動作を説明するために摸式的に示した図、
図６（ａ），（ｂ）は図３に示したＲＦ信号有無検出回路内の動作を説明するために摸式的に示した図である。
【００３８】
図３に示した如く、本発明に係る光ディスク装置１０では、この内部に装置全体を制御するための制御回路１１がマイクロコンピュータを用いて設けられており、且つ、制御回路１１内には制御動作を指令するソフトを予め格納したＲＯＭ１１ａと、後述する制御動作に伴って生じる情報などを一時的に記憶させるＲＡＭ１１ｂと、ＴＲ制御部（トラッキング制御部）１１ｃと、ＦＯ制御部（フォーカス制御部）１１ｄとが設けられている。
【００３９】
また、光ディスク装置１０内には、先に図１（ａ），（ｂ）を用いて説明した記録再生タイプの光ディスクＤｒｐ、又は、先に図２（ａ），（ｂ）を用いて説明した再生タイプの光ディスクＤｐとして、例えばＢＤ規格に準拠したＢＤ（Ｂｌｕ−ｒａｙ  Ｄｉｓｃ）と、ＤＶＤ規格に準拠したＤＶＤ（Ｄｉｇｉｔａｌ  Ｖｅｒｓａｔｉｌｅ  Ｄｉｓｃ）とのいずれか一方の光ディスクＤ（Ｄｒｐ，Ｄｐ）が、スピンドルモータ１２の軸１２ａに固着したターンテーブル１３上に選択的に着脱可能に搭載されて、上方からディスククランパ１４でターンテーブル１３上に押圧されてしっかりとクランプされていると共に、制御回路１１からの指令で動作する第１モータ駆動回路１５を介してスピンドルモータ１２の回転数がＣＬＶ制御されて、光ディスクＤがターンテーブル１３及びディスククランパ１４と一体に回転自在になっている。
【００４０】
また、光ディスクＤの下方には、光ピックアップ２０が光ディスクＤの半径方向に移動自在に設けられており、この光ピックアップ２０は、光ピックアップ筐体２１の螺合部２１ａが制御回路１１からの指令で動作する第２モータ駆動回路１６により回転駆動されるスレッドモータ１７に連結したリードスクリュー１８に螺合することで、光ディスクＤの半径方向に直線移動自在に設けられている。
【００４１】
上記した光ピックアップ２０は、記録再生可能タイプの光ディスクＤｒｐと、再生専用タイプの光ディスクＤｐとに対応できるようにメインビームと一対のサブビームとを使用する方式を採用して構成されているが、再生専用の光ディスクだけに対応させる場合には１ビーム方式でも可能である。
【００４２】
具体的に説明すると、光ピックアップ２０の光ピックアップ筐体２１内には、波長が４００ｎｍ近辺の第１レーザー光Ｌ１を出射するＢＤ用の第１レーザー光源２２ａ及び波長６５０ｎｍ近辺の第２レーザー光Ｌ２を出射するＤＶＤ用の第２レーザー光源２２ｂと、これら第１又は第２レーザー光源２２ａ又は２２ｂからのレーザー光を平行光に変換するコリメータレンズ２３と、この平行光のレーザー光をメインビームと２つのサブビームとによる３ビームに分離する回折素子２４と、第１又は第２レーザー光源２２ａ又は２２ｂからのレーザー光と光ディスクＤからの戻り光とを分離するビームスプリッタ２５と、平行光のレーザー光を円偏光に変換するλ／４板２６と、レンズホルダ２７内に取り付けられてメインビームと２つのサブビームとによる３ビームの第１又は第２レーザービームＬ１又はＬ２を光ディスクＤの信号面上に集光するＢＤ，ＤＶＤ共用の対物レンズ２８と、レンズホルダ２７の外周に取り付けられて対物レンズ２８をトラッキング方向及びフォーカス方向に揺動させるトラッキングコイル２９及びフォーカスコイル３０と、光ディスクＤの信号面で反射されたメインビームと２つのサブビームとによる３ビームの戻り光を検出レンズ３１，シリンドリカルレンズ３２を介して検出する多分割型フォトディテクタ３３とで構成されている。
【００４３】
そして、制御回路１１の指令により半導体レーザー駆動回路１９及びスイッチＳＷ１を介して第１，第２レーザー光源２２ａ，２２ｂのいずれか一方を選択的に始動させて所定波長のレーザー光を出射させると、このレーザー光はコリメータレンズ２３，回折素子２４，ビームスプリッタ２５，λ／４板２６を経由して対物レンズ２８に入射され、この対物レンズ２８で絞り込んだメインビームと２つのサブビームとによる３ビームの第１又は第２レーザービームＬ１又はＬ２が光ディスクＤの信号面に到達し、メインビームは信号面中の一つのトラックにスポット状に照射されると共に、２つのサブビームは一つのトラックを中心とした両側にスポット状に照射されている。
【００４４】
この際、上記した半導体レーザー駆動回路１９は、光ディスクＤの信号面に情報信号を記録する場合には、ここに印加される記録信号ＲＳに応じて第１，第２レーザー光源２２ａ，２２ｂのいずれか一方から記録パワーを持たせた記録用のレーザー光を出射させるように駆動し、一方、記録済みの光ディスクＤを再生する場合には記録パワーよりもレーザーパワーが小さい再生用のレーザー光を出射させるように駆動している。
【００４５】
また、上記した対物レンズ２８は、ＢＤに対して開口数（ＮＡ）が略０．８５程度であり、且つ、ＤＶＤに対して開口数（ＮＡ）が略０．６５程度となるようにλ／４板２６と対向する面側に開口制限処理が施されている。
【００４６】
この後、光ディスクＤの信号面に膜付けした金属反射層（図示せず）で反射されたメインビームの戻り光と２つのサブビームの戻り光とが、対物レンズ２８，λ／４板２６を通過してビームスプリッタ２５で反射されて検出レンズ３１，シリンドリカルレンズ３２を介して多分割型フォトディテクタ３３上にそれぞれに集光される。
【００４７】
ここで、多分割型フォトディテクタ３３は、図４に拡大して示したように、光ディスクＤ上の一つのトラックに照射したメインビームＭＢの戻り光を検出する４個の受光領域Ａ〜Ｄと、一つのトラックに隣接する一方のトラックに照射した一方のサブビームＳＢ１を検出する２個の受光領域Ｅ，Ｆと、一つのトラックに隣接する他方のトラックに照射した他方のサブビームＳＢ２を検出する２個の受光領域Ｇ，Ｈとが一つの半導体基板（図示せず）上に配置されており、各領域Ａ〜Ｈは光ディスクＤのトラック方向及び半径方向に対して図示の配置関係となっている。尚、再生専用の光ディスクだけに対応させた１ビーム方式では、一つのトラックに照射したメインビームＭＢだけである。
【００４８】
再び図３に戻り、光ピックアップ２０内の多分割型フォトディテクタ３３より後段には、トラッキング制御系としてＴＥ（トラッキングエラー）信号検出回路４０と第１Ａ／Ｄ変換器４１とが制御回路１１に接続され、且つ、フォーカス制御系としてＦＥ（フォーカスエラー）信号検出回路５０と第２Ａ／Ｄ変換器５１とが制御回路１１に接続されていると共に、更に、多分割型フォトディテクタ３３より後段にウォブル信号検出回路６０とＲＦ信号検出回路７０とが設けられている。
【００４９】
ここで、上記したＴＥ信号検出回路４０では、対物レンズ２８を光ディスクＤに対してトラッキング方向に制御するためのトラッキングエラー信号ＴＥを検出しており、このトラッキングエラー信号ＴＥは周知のＤＰＰ（Ｄｉｆｆｅｒｅｎｔｉａｌ  Ｐｕｓｈ  Ｐｕｌｌ）法により図４に示した多分割型フォトディテクタ３３内の各受光領域Ａ〜Ｈで受光した各検出信号に対して下記の式１に基づいて演算処理されている。
［数１］
ＴＥ＝｛（Ａ＋Ｄ）−（Ｂ＋Ｃ）｝＋｛（Ｅ−Ｆ）＋（Ｇ−Ｈ）｝      （式１）。
【００５０】
そして、ＴＥ信号検出回路４０で検出したアナログのトラッキングエラー信号ＴＥを第１Ａ／Ｄ変換器４１でディジタルのトラッキングエラー信号ＴＥに変換して制御回路１１内に設けたＴＲ制御部（トラッキング制御部）１１ｃに入力させ、このＴＲ制御部１１ｃで後述する光ディスク種類判別回路７２の光ディスク種類判別結果に応じてトラッキング制御駆動信号ＴＤを生成して、このトラッキング制御駆動信号ＴＤを第１Ｄ／Ａ変換器４２とＴＤ  ＤＲＩＶＥ（トラッキング駆動）回路４３とを介してトラッキングコイル２９に印加することで、対物レンズ２８が光ディスクＤに対してトラッキング制御できるようになっている。
【００５１】
次に、上記したＦＥ信号検出回路５０では、対物レンズ２８を光ディスクＤに対してフォーカス方向に制御するためのフォーカスエラー信号ＦＥを検出しており、このフォーカスエラー信号ＦＥは周知の非点収差法により図４に示した多分割型フォトディテクタ３３内の各受光領域Ａ〜Ｄで受光した各検出信号に対して下記の式２に基づいて演算処理されている。
［数２］
ＦＥ＝（Ａ＋Ｃ）−（Ｂ＋Ｄ）      （式２）。
【００５２】
そして、ＦＥ信号検出回路５０で検出したアナログのフォーカスエラー信号ＦＥを第２Ａ／Ｄ変換器５１でディジタルのフォーカスエラー信号ＦＥに変換して制御回路１１に設けたＦＯ制御部（フォーカス制御部）１１ｄに入力させ、このＦＯ制御部１１ｄでフォーカス制御駆動信号ＦＤを生成して、このフォーカス制御駆動信号ＦＤを第２ＤＡ変換器５２とＦＤ  ＤＲＩＶＥ（フォーカス駆動）回路５３とを介してフォーカスコイル３０に印加することで、対物レンズ２８が光ディスクＤに対してフォーカス制御できるようになっている。
【００５３】
次に、上記したウォブル信号検出回路６０では、後述する光ディスク種類判別回路７２により記録再生タイプの光ディスクＤｒｐであると判別されてこの光ディスクＤｒｐの信号面を再生した時に、周知のプッシュプル法により図４に示した多分割型フォトディテクタ３３内の各受光領域Ａ〜Ｄで受光した各検出信号に対して第３の演算処理となる下記の式３に基づいてプッシュプル信号ＰＰを演算した後に、このプッシュプル信号ＰＰから記録再生タイプの光ディスクＤｒｐの信号面内に設けたリードイン領域１ｄ中のＰＩＣ領域１ｄ１に予め記録された第１のＰＩＣ（第１のＰｅｒｍａｎｅｎｔ  Ｉｎｆｏｒｍａｔｉｏｎ  ＆  Ｃｏｎｔｒｏｌ  ｄａｔａ）と、記録再生タイプの光ディスクＤｒｐ上で所定の周波数でウォブルされたウォブルトラックＷＢＬ−Ｔ｛図１（ａ）｝から得られるウォブル信号ＷＢＬとを検出している。
［数３］
ＰＰ＝｛（Ａ＋Ｂ）−ｋ（Ｃ＋Ｄ）｝      （式３）。
この際、上記した係数ｋの値は、例えば０．７〜０．９程度に設定されている。
【００５４】
そして、後述する光ディスク種類判別回路７２により記録再生タイプの光ディスクＤｒｐであると判別されたときに、制御回路１１は光ディスクＤｒｐの信号面のリードイン領域１ｄ中のＰＩＣ領域１ｄ１に対してウォブル信号検出回路６０により読み出しができるように制御している。
【００５５】
従って、ウォブル信号検出回路６０は、光ピックアップ２０により記録再生タイプの光ディスクＤｒｐの信号面に対して最初に読み出されるリードイン領域１ｄ中のＰＩＣ領域１ｄ１からウォブルの位相が変調されている第１のＰＩＣを検出しており、具体的には、例えば、プッシュプル信号ＰＰに対して不図示の高域通過フィルタ及び低域通過フィルタを通過した信号と、ここに入力したプッシュプル信号ＰＰとの位相差を不図示の位相比較器により検出して、検出した位相差に応じて第１のＰＩＣを読み出して制御回路１１に入力している。
【００５６】
また、図５（ａ），（ｂ）に示したように、光ピックアップ２０により記録再生タイプの光ディスクＤｒｐの信号面中のウォブルトラックＷＢＬ−Ｔ｛図１（ａ）｝を再生したときに得られるプッシュプル信号ＰＰに対してウォブル周波数成分を不図示のＢＰＦ（バンドパスフィルタ）を介して周波数選択して取り出し、このウォブル周波数成分を０レベルの閾値により２値化した上で不図示のＰＬＬ回路を介して同期を取ってウォブル信号ＷＢＬを得た後に、このウォブル信号ＷＢＬを制御回路１１に入力し、制御回路１１内でウォブル信号ＷＢＬを用いて記録再生タイプの光ディスクＤｒｐを搭載したスピンドルモータ２２を例えばＣＬＶ（Ｃｏｎｓｔａｎｔ  Ｌｉｎｅａｒ  Ｖｅｌｏｃｉｔｙ…線速度一定）で回転制御させる際の基準クロック（図示せず）を生成して、この基準クロックを第１モータ駆動回路２５に供給している。
【００５７】
次に、上記したＲＦ信号検出回路７０では、光ディスクＤ（Ｄｒｐ，Ｄｐ）の信号面を再生したときに、データ信号ＲＦ（以下、ＲＦ信号と呼称する）を図４に示した多分割型フォトディテクタ３３内の各受光領域Ａ〜Ｄで受光した各検出信号に対して下記の式４に基づいて加算演算処理している。
［数４］
ＲＦ＝（Ａ＋Ｂ＋Ｃ＋Ｄ）      （式４）。
【００５８】
この際、ＲＦ信号検出回路７０から出力されるアナログのＲＦ信号のうちで、再生専用タイプの光ディスクＤｐのリードイン領域１ｄ中のＰＩＣ領域１ｄ１から読み出した第２のＰＩＣ（第１のＰｅｒｍａｎｅｎｔ  Ｉｎｆｏｒｍａｔｉｏｎ  ＆  Ｃｏｎｔｒｏｌ  ｄａｔａ）と、記録再生タイプの光ディスクＤｒｐの内周側のＢＣＡ１ｃから読み出した光ディスク固有の情報（ＢＣＡの情報）とが制御回路１１に入力されると共に、光ディスクＤ（Ｄｒｐ，Ｄｐ）のデータ領域１ｅから読み出した情報は後述するＲＦ信号処理回路７３に入力されている。
【００５９】
この際、後述する光ディスク種類判別回路７２により再生専用タイプの光ディスクＤｐであると判別されたときに、制御回路１１は光ディスクＤｐの信号面のリードイン領域１ｄのＰＩＣ領域１ｄ２に対してＲＦ信号検出回路７０により読み出しができるように制御している。
【００６０】
また、ＲＦ信号処理回路７０から出力されたアナログのＲＦ信号がＲＦ信号有無検出回路７１に入力されて、この内部でＲＦ信号の有無が検出された後に光ディスク種類判別回路７２送られている。
【００６１】
そして、ＲＦ信号有無検出回路７１では、光ピックアップ２０により記録再生タイプの光ディスクＤｒｐの信号面に対して最初に読み出されるリードイン領域１ｄ中のＰＩＣ領域１ｄ１を読み出した時に、ＰＩＣ領域１ｄ１に第１のＰＩＣがウォブルトラックＷＢＬ−Ｔに対して位相変調して予め記録されているので、図６（ａ）に示した如く、ＲＦ信号検出回路７０からＲＦ信号が出力されずにＲＦ信号なしと対応したＬＯＷ信号“０”が出力されて光ディスク種類判別回路７２に入力されるために、この光ディスク種類判別回路７２で記録再生タイプの光ディスクＤｒｐであると判別して制御回路１１に知らせている。
【００６２】
また、ＲＦ信号有無検出回路７１では、光ピックアップ２０により再生専用タイプの光ディスクＤｐの信号面に対して最初に読み出されるリードイン領域１ｄ中のＰＩＣ領域１ｄ２を読み出した時に、ＰＩＣ領域１ｄ２に第２のＰＩＣが凹凸状のピット列Ｐで予め記録されているので、図６（ｂ）に示した如く、ＲＦ信号検出回路７０からＲＦ信号が出力されてＲＦ信号ありと対応したＨＩＧＨ信号“１”が出力されて光ディスク種類判別回路７２に入力されるために、この光ディスク種類判別回路７２で再生専用タイプの光ディスクＤｐであると判別して制御回路１１に知らせている。
【００６３】
尚、光ディスク種類判別回路７２は、上記の方法に限られる訳ではなく、例えば、ウォブル検出回路６０から出力されるウォブル信号ＷＢＬの有無を検出し、ウォブル信号ありの場合に記録再生タイプの光ディスクＤｒｐと判別する一方、ウォブル信号なしの場合に再生専用タイプの光ディスクＤｐと判別する方法でも良いものである。
【００６４】
次に、ＲＦ信号処理回路７３では、記録再生タイプの光ディスクＤｒｐ中のデータ領域１ｅに記録された記録マークＭ、又は、再生専用タイプの光ディスクＤｐ中のデータ領域１ｅに記録されたピット列Ｐを再生したときに、ＲＦ信号検出回路７０から出力されたＲＦ信号に対して各光ディスクＤｒｐ，Ｄｐに応じた光ディスク規格に基づいてメインデータ信号ＭＤをそれぞれ得ている。
【００６５】
尚、上記した光ディスク装置１０では、光ディスクＤとして、記録再生タイプ又は再生専用タイプのＢＤとＤＶＤとを選択的に装着可能に構成したが、これに限ることなく、周知のＣＤも適用できるように、波長が７８０ｎｍ近辺の第３レーザー光を出射するＣＤ用の第３レーザー光源（図示せず）を設けても良く、このＣＤの場合には対物レンズ２８の開口数が略０．４５程度になるように対物レンズ２８に対して開口制限処理を施せば良いものである。
【００６６】
ここで、上記のように構成した光ディスク装置１０内に設けた光ピックアップ２０により記録再生タイプの光ディスクＤｒｐ（図１）の信号面と、再生専用タイプの光ディスクＤｐ（図２）の信号面とに対して最初に読み出されるリードイン領域１ｄ中のＰＩＣ領域１ｄ１又は１ｄ２を読み出して、ＢＣＡの有無を検出する動作について、先に説明した図１〜図３と、新たな図７を併用して説明する。
【００６７】
図７は本発明に係る光ディスク装置において、記録再生タイプの光ディスクと、再生専用タイプの光ディスクとを選択的に再生したときに、信号面に対して最初に読み出されるリードイン領域中のＰＩＣ領域を読み出して、ＢＣＡの有無を検出する動作を示したフロー図である。
【００６８】
図７に示した如く、まず、ステップＳ１では、ピックアップ２０を光ディスクＤ（Ｄｒｐ，Ｄｐ）の径方向に移動させるスレッドモータ１７を駆動し、ピックアップ２０を光ディスクＤ（Ｄｒｐ，Ｄｐ）のリードイン領域１ｄ中のＰＩＣ領域１ｄ１又は１ｄ２へ移動させる。
【００６９】
次に、ステップＳ２では、光ディスクＤ（Ｄｒｐ，Ｄｐ）を搭載したスピンドルモータ１２を回転させる。
【００７０】
次に、ステップＳ３では、第１レーザー光源２２ａ（又は第２レーザー光源２２ｂ）によりレーザー光を発光させる。
【００７１】
次に、ステップＳ４では、光ディスクＤ（Ｄｒｐ，Ｄｐ）のＰＩＣ領域１ｄ１又は１ｄ２に照射したレーザー光に対してフォーカス調整し、この後、ステップＳ５でフォーカスサーボをＯＮにし、光ディスクＤ（Ｄｒｐ，Ｄｐ）のＰＩＣ領域１ｄ又は１ｄ２にレーザー光を集光させる。この際、光ディスクＤ（Ｄｒｐ，Ｄｐ）のＰＩＣ領域１ｄ１又は１ｄ２は、初期調整や光ディスクＤ（Ｄｒｐ，Ｄｐ）の種類判別に対して適している領域であるが、ＢＣＡ１ｃはデータ領域１ｅとフォーカスエラーの特性が異なることが多く、光ディスクＤ（Ｄｒｐ，Ｄｐ）によってその変化も様々であるため、初期調整や光ディスクＤ（Ｄｒｐ，Ｄｐ）の種類判別に対して不適切な領域である。
【００７２】
次に、ステップＳ６では、光ピックアップ２０により光ディスクＤ（Ｄｒｐ，Ｄｐ）のＰＩＣ領域１ｄ１又は１ｄ２を読み出したときに、ＲＦ信号検出回路７０及びＲＦ信号有無検出回路７１によりＰＩＣ領域１ｄ１又は１ｄ２の読み出しでＲＦ信号があるか否かを問う。
【００７３】
そして、このステップＳ６でＲＦ信号あり（ＹＥＳの場合）には、先に説明したように、再生専用タイプの光ディスクＤｐのリードイン領域１ｄ中のＰＩＣ領域１ｄ２を読み出した時に、ＰＩＣ領域１ｄ２に第２のＰＩＣが凹凸状のピット列Ｐで予め記録されているので、図６（ｂ）に示した如く、ＲＦ信号有無検出回路７１からＲＦ信号ありと対応したＨＩＧＨ信号“１”が出力されるために、ステップＳ７では光ディスク種類判別回路７２によりＢＣＡが一般的に存在しない再生専用タイプの光ディスクＤｐであると判別されて、この結果を制御回路１１に知らせている。
【００７４】
一方、ステップＳ６でＲＦ信号なし（ＮＯの場合）には、先に説明したように、記録再生タイプの光ディスクＤｒｐのリードイン領域１ｄ中のＰＩＣ領域１ｄ１に予め記録された第１のＰＩＣがウォブルトラックＷＢＬ−Ｔに対して位相変調して予め記録されているので、図６（ａ）に示した如く、ＲＦ信号有無検出回路７１からＲＦ信号なしと対応したＬＯＷ信号“０”が出力されるために、ステップＳ８では光ディスク種類判別回路７２によりＢＣＡが存在する記録再生タイプの光ディスクＤｒｐであると判別されて、この結果を制御回路１１に知らせている。
【００７５】
次に、ステップＳ９では、ＢＣＡ１ｃが存在する記録再生タイプの光ディスクＤｒｐであると判別されたので、光ピックアップ２０をＢＣＡ１ｃへ移動する。この際、ＢＣＡリード済みフラグをＯＮにする。
【００７６】
次に、ステップＳ１０では、ＢＣＡ１ｃが存在する記録再生タイプの光ディスクＤｒｐであると判別されたので、ＲＦ信号検出回路７０により記録再生タイプの光ディスクＤｒｐのＢＣＡ１ｃから光ディスク固有の情報（ＢＣＡの情報）を直ちに読み出して制御回路１１に知らせている。
【００７７】
次に、ステップＳ１１では、光ピックアップ２０を記録再生タイプの光ディスクＤｒｐのリードイン領域１ｄ中のＰＩＣ領域１ｄ１へ移動する。
【００７８】
次に、ステップＳ１２では、再生専用タイプの光ディスクＤｐのリードイン領域１ｄ中のＰＩＣ領域１ｄ２、又は、記録再生タイプの光ディスクＤｒｐのリードイン領域１ｄ中のＰＩＣ領域１ｄ１に照射したレーザー光に対してトラッキング調整し、この後、ステップＳ１３でトラッキングサーボをＯＮにする。
【００７９】
次に、ステップＳ１４では、再生専用タイプの光ディスクＤｐの場合にＲＦ信号検出回路７０によりリードイン領域１ｄ中のＰＩＣ領域１ｄ２から第２のＰＩＣを読み出して制御回路１１に知らせる一方、記録再生タイプの光ディスクＤｒｐの場合にウォブル信号検出回路６０によりリードイン領域１ｄ中のＰＩＣ領域１ｄ１から第１のＰＩＣを読み出して制御回路１１に知らせている。
【００８０】
次に、ステップＳ１５では、ＢＣＡ１ｃがリード済みであるか否かを問う。
【００８１】
そして、このステップＳ１５でＢＣＡ１ｃがリード済み（ＹＥＳの場合）には、フロー動作を終了する。
【００８２】
一方、ステップＳ１５でＢＣＡ１ｃが未リード（ＮＯの場合）には、ステップＳ１６でＢＣＡ１ｃがあるか否かを問う。
【００８３】
そして、ステップＳ１６でＢＣＡ１ｃがある（ＹＥＳの場合）には、ステップＳ１７でＢＣＡ１ｃに照射したレーザー光に対してトラッキングサーボをＯＦＦして、フォーカスサーボのみとし、この後、ステップＳ１８で光ピックアップ２０をＢＣＡ１ｃへ移動して、ステップＳ１９で光ピックアップ２０によりＢＣＡ１ｃから光ディスク固有の情報（ＢＣＡの情報）を読み出して制御回路１１に知らせた後にフロー動作を終了する。
【００８４】
一方、ステップＳ１６でＢＣＡ１ｃがない（ＮＯの場合）には、フロー動作を終了する。
【００８５】
以上詳述したように、本発明に係る光ディスク装置１０によれば、信号面の内周部にＢＣＡ（Ｂｕｒｓｔ  Ｃｕｔｔｉｎｇ  Ａｒｅａ）１ｃが存在する記録再生タイプの光ディスクＤｒｐと、通常はＢＣＡが存在しないが必要に応じてＢＣＡが設けられる再生専用タイプの光ディスクＤｐとに対して光ピックアップ２０内の対物レンズ２８から出射したレーザービームを信号面上にスポット状に照射して、信号面からの戻り光を多分割型フォトディテクタ３３により検出する際に、とくに、光ピックアップ２０により信号面に対して最初に読み出されるリードイン領域１ｄ中のＰＩＣ領域１ｄ１又は１ｄ２に予め記録されたＰＩＣ（Ｐｅｒｍａｎｅｎｔ  Ｉｎｆｏｒｍａｔｉｏｎ  ＆  Ｃｏｎｔｒｏｌ  ｄａｔａ）からＢＡＣ有無を検出して、ＢＣＡありと判断された場合にのみＢＣＡ１ｃから光ディスク固有の情報を読み出すように制御する制御回路１１を備えたために、信号面の内周部にＢＣＡが存在する記録再生タイプの光ディスクＤｒｐに対して光ピックアップ２０を直ちにＢＣＡに移動して、このＢＣＡに予め記録された光ディスク固有の情報を確実に読み出すことができる一方、通常はＢＣＡが存在しない再生専用タイプの光ディスクＤｐに対して従来のようなＢＣＡリード処理の時間（リトライ等も含む）を省くことができ、且つ、光ピックアップをＢＣＡへ移動する時間も省くことができるので、ＢＣＡがない再生専用タイプの光ディスクＤｐに対して動作フローを短縮することが可能となるので、使用勝手の良い光ディスク装置１０を提供することができる。
【００８６】
この際、ＢＣＡ１ｃが存在する記録再生タイプの光ディスクＤｒｐと、通常はＢＣＡが存在しない再生専用タイプの光ディスクＤｐとを、リードイン領域１ｄ中のＰＩＣ領域１ｄ１又は１ｄ２を再生したときのＲＦ信号の有無により光ディスクＤの種類を判別する光ディスク種類判別回路７２で予め判別しておくことで、制御回路１１はＢＣＡ１ｃが存在する記録再生タイプの光ディスクＤｒｐに対してリードイン領域１ｄ中のＰＩＣ領域１ｄ１に予め記録された第１のＰＩＣをウォブル信号検出回路６０により検出するように制御する一方、通常はＢＣＡが存在しない再生専用タイプの光ディスクＤｐに対してリードイン領域１ｄ中のＰＩＣ領域１ｄ２に予め記録された第２のＰＩＣをＲＦ信号検出回路７０により検出するように制御しているので、本発明に係る光ディスク装置１０内で記録再生タイプの光ディスクＤｒｐと再生専用タイプの光ディスクＤｐとを選択的に適用できる。
【図面の簡単な説明】
【００８７】
【図１】（ａ），（ｂ）は本発明に係る光ディスク装置に適用される記録再生タイプの光ディスクを模式的に示した平面図，縦断面図である。
【図２】（ａ），（ｂ）は本発明に係る光ディスク装置に適用される再生専用タイプの光ディスクを模式的に示した平面図，縦断面図である。
【図３】本発明に係る光ディスク装置の全体構成を示した構成図である。
【図４】図３に示した光ピックアップ内に設けた多分割型フォトディテクタを拡大して示した図である。
【図５】（ａ），（ｂ）は図３に示したウォブル検出回路内の動作を説明するために摸式的に示した図である。
【図６】（ａ），（ｂ）は図３に示したＲＦ信号有無検出回路内の動作を説明するために摸式的に示した図である。
【図７】図７は本発明に係る光ディスク装置において、記録再生タイプの光ディスクと、再生専用タイプの光ディスクとを選択的に再生したときに、信号面に対して最初に読み出されるリードイン領域中のＰＩＣ領域を読み出して、ＢＣＡの有無を検出する動作を示したフロー図である。
【符号の説明】
【００８８】
Ｄｒｐ（Ｄ）  記録再生タイプの光ディスク、
Ｄｐ（Ｄ）  再生専用タイプの光ディスク、
１ａ  中心孔、１ｂ  クランピング領域、
１ｃ  ＢＣＡ、１ｄ  リードイン領域、１ｄ１，１ｄ２  ＰＩＣ領域、
１ｅ  データ領域、１ｆ  リードアウト領域、
１０  光ディスク装置、
１１  制御回路、１１ａ  ＲＯＭ、１１ｂ  ＲＡＭ、
１１ｃ  ＴＲ制御部、１１ｄ  ＦＯ制御部、
１２  スンピンドルモータ、１２ａ  軸、１３  ターンテーブル、
１４  ディスククランパ、１５  第１モータ駆動回路、１６  第２モータ駆動回路、
１７  スレッドモータ、１８  リードスクリュー、１９  半導体レーザー駆動回路、
２０  光ピックアップ、２１  光ピックアップ筐体、２１ａ  螺合部、
２２ａ  第１レーザー光源、２２ｂ  第２レーザー光源、２３  コリメータレンズ、
２４  回折素子、２５  ビームスプリッタ、２６  λ／４板、２７  レンズホルダ、
２８  対物レンズ、２９  トラッキングコイル、３０  フォーカスコイル、
３１  検出レンズ、３２  シリンドリカルレンズ、３３  多分割型フォトディテクタ、
４０  ＴＥ（トラッキングエラー）信号検出回路、
４１  第１Ａ／Ｄ変換器、４２  第１Ｄ／Ａ変換器、
４３  ＴＤ  ＤＲＩＶＥ（トラッキング駆動）回路、
５０  ＦＥ（フォーカスエラー）信号検出回路、
５１  第２Ａ／Ｄ変換器、５２  第２Ｄ／Ａ変換器、
５３  ＦＤ  ＤＲＩＶＥ（フォーカス駆動）回路、
６０  ウォブル信号検出回路、
７０  ＲＦ信号検出回路、７１  ＲＦ信号有無検出回路、
７２  光ディスク種類判別回路、７３  ＲＦ信号処理回路、
Ｌ１  第１レーザービーム、Ｌ２  第２レーザービーム、
ＴＥ  トラッキングエラー信号、ＴＤ  トラッキング制御駆動信号、
ＦＥ  フォーカスエラー信号、ＦＤ  フォーカス制御駆動信号。
【図１】
2009176337.tif 000003
【図２】
2009176337.tif 000004
【図３】
2009176337.tif 000005
【図４】
2009176337.tif 000006
【図５】
2009176337.tif 000007
【図６】
2009176337.tif 000008
【図７】
2009176337.tif 000009